(57)【要約】【課題】一方に筒状の第一接続部、他方に第二接続部を有し、第一接続部と第二接続部の間をつなぎ、かつ、第一接続部よりもインピーダンスが高い連結部を有するコネクタ端子において、第一接続部と連結部の間でのインピーダンス整合にかかる手間が削減されたコネクタ端子を提供する。【解決手段】一方に筒状の本体部１１、他方に圧着部１２を有し、本体部１１と圧着部１２の間をつなぎ、かつ、本体部１１よりもインピーダンスが高いＬ字型に曲げられた連結部１３を有するコネクタ端子１において、連結部１３の少なくとも第一辺部１３ａに重ね合わされるインピーダンス調整部材２０を備え、インピーダンス調整部材２０の一端部２０ａが本体部１１に挿入された状態で固定されていることを特徴とするコネクタ端子。【選択図】図３
2018085305.tif 000002
【特許請求の範囲】
【請求項１】
一方に筒状の第一接続部、他方に第二接続部を有し、前記第一接続部と前記第二接続部の間をつなぎ、かつ、前記第一接続部よりもインピーダンスが高い連結部を有するコネクタ端子において、前記連結部の少なくとも一部に重ね合わされるインピーダンス調整部材を備え、前記インピーダンス調整部材の一端部が前記第一接続部に挿入された状態で固定されていることを特徴とするコネクタ端子。
【請求項２】
前記連結部はＬ字型に曲げられた帯状片からなり、Ｌ字型の各辺をなす第一辺部と第二辺部を有し、前記第一辺部の端部で前記第一接続部とつながれ、前記第二辺部の端部で前記第二接続部とつながれており、前記インピーダンス調整部材は少なくとも第一辺部に重ね合わされるものである１に記載のコネクタ端子。
【請求項３】
前記インピーダンス調整部材の前記一端部には先細りの先端が付けてある１又は２に記載のコネクタ端子。
【請求項４】
前記インピーダンス調整部材の前記一端部を前記第一接続部の内径よりも太くすることで、当該一端部が前記第一接続部への圧入部とされている１ないし３のいずれかに記載のコネクタ端子。
【発明の詳細な説明】
【技術分野】
【０００１】
本発明は、一方に筒状の第一接続部、他方に第二接続部を有し、第一接続部と第二接続部の間をつなぎ、かつ、第一接続部よりもインピーダンスが高い連結部を有し、第一接続部と連結部の間でのインピーダンス整合が図られたコネクタ端子に関するものである。
【背景技術】
【０００２】
高速伝送・高周波伝送において、質の高い伝送を行うには、コネクタ端子においてもインピーダンスを整合することが求められている。
【０００３】
特許文献１には、コネクタ端子に関し、一方に相手コネクタ端子と接続する筒状の本体部、他方にケーブル導体を圧着する圧着片が設けられた圧着部を有し、本体部と圧着部の間をつなぎ、かつ、本体部よりもインピーダンスが高い連結部（圧着部の圧着片が設けられていない部分）を有するコネクタ端子において、一端を本体部の内部に挿入し、他端を圧着部に接合した状態で、連結部に重ね合わされるインピーダンス調整部材によって、連結部の断面外形を大きくして本体部の断面外形に合わせることで、本体部と連結部の間でのインピーダンス整合が図られたものが記載されている。
【先行技術文献】
【特許文献】
【０００４】
【特許文献１】特許第５３３２６７７号公報
【発明の概要】
【発明が解決しようとする課題】
【０００５】
しかしながら、特許文献１に記載のコネクタ端子は、インピーダンス調整部材を圧着部に接合する必要があり、第一接続部と連結部の間でのインピーダンス整合に手間がかかるという問題があった。
【０００６】
本発明の目的は、一方に筒状の第一接続部、他方に第二接続部を有し、第一接続部と第二接続部の間をつなぎ、かつ、第一接続部よりもインピーダンスが高い連結部を有するコネクタ端子において、第一接続部と連結部の間でのインピーダンス整合にかかる手間が削減されたコネクタ端子を提供することにある。
【課題を解決するための手段】
【０００７】
１．一方に筒状の第一接続部、他方に第二接続部を有し、前記第一接続部と前記第二接続部の間をつなぎ、かつ、前記第一接続部よりもインピーダンスが高い連結部を有するコネクタ端子において、前記連結部の少なくとも一部に重ね合わされるインピーダンス調整部材を備え、前記インピーダンス調整部材の一端部が前記第一接続部に挿入された状態で固定されていることを特徴とするコネクタ端子。
１に記載のコネクタ端子によれば、インピーダンス調整部材の一端部を第一接続部に挿入するだけで、第一接続部と連結部の間でのインピーダンス整合が可能となり、インピーダンス調整部材を第二接続部に接合する必要がないので、第一接続部と連結部の間でのインピーダンス整合にかかる手間が削減される。
２．前記連結部はＬ字型に曲げられた帯状片からなり、Ｌ字型の各辺をなす第一辺部と第二辺部を有し、前記第一辺部の端部で前記第一接続部とつながれ、前記第二辺部の端部で前記第二接続部とつながれており、前記インピーダンス調整部材は少なくとも第一辺部に重ね合わされるものである１に記載のコネクタ端子。
２に記載のコネクタ端子によれば、連結部はＬ字型に曲げられているので、インピーダンス調整部材の一端部を第一接続部に挿入する際に、第二接続部が邪魔にならず、挿入しやすい。
３．前記インピーダンス調整部材の前記一端部には先細りの先端が付けてある１又は２に記載のコネクタ端子。
３に記載のコネクタ端子によれば、インピーダンス調整部材の一端部には先細りの先端が付けてあるので、インピーダンス調整部材の一端部を第一接続部に挿入する際に、挿入しやすい。
４．前記インピーダンス調整部材の前記一端部を前記第一接続部の内径よりも太くすることで、当該一端部が前記第一接続部への圧入部とされている１ないし３のいずれかに記載のコネクタ端子。
４に記載のコネクタ端子によれば、インピーダンス調整部材の一端部を第一接続部に圧入により固定することができる。
【発明の効果】
【０００８】
本発明によれば、一方に筒状の第一接続部、他方に第二接続部を有し、第一接続部と第二接続部の間をつなぎ、かつ、第一接続部よりもインピーダンスが高い連結部を有するコネクタ端子において、第一接続部と連結部の間でのインピーダンス整合にかかる手間が削減されたコネクタ端子を提供することができる。
【図面の簡単な説明】
【０００９】
【図１】本発明の実施例にかかるコネクタ端子を示す分解斜視図である。
【図２】本発明の実施例にかかるコネクタ端子を示す斜視図である。
【図３】本発明の実施例にかかるコネクタ端子を示す断面図である。
【図４】本発明の他の実施例にかかるコネクタ端子を示す要部断面図である。
【図５】本発明のさらに他の実施例にかかるコネクタ端子のインピーダンス調整部材を示す図であり、（Ａ）は斜視図、（Ｂ）は背面図である。
【発明を実施するための形態】
【００１０】
以下、本発明の実施例をいくつか図面を参照して説明する。
【実施例１】
【００１１】
図１ないし図３に示すコネクタ端子１は、端子本体１０と、インピーダンス調整部材２０を備えている。
【００１２】
端子本体１０は、一方に筒状の第一接続部として図示しないピン状（雄型）の相手コネクタ端子と接続する筒状（雌型）の本体部１１、他方に第二接続部として図示しないケーブル導体と接続する圧着部１２を有している。また、本体部１１と圧着部１２の間をつなぐ連結部１３を有している。この端子本体１０は、導電性を有する金属薄板をプレス加工することによって形成されている。
【００１３】
本体部１１は、先端部１１ａと基部１１ｂを有している。先端部１１ａは、軸方向に延びる複数（図は２つ）のスリット１１ｃが周方向に等間隔に設けられており、このスリット１１ｃを利用して相手コネクタ端子との接続が行われるようになっている。先端部１１ａに連続する基部１１ｂは、円筒状に形成されている。
【００１４】
ケーブル導体と接続する前の圧着部１２は、断面Ｕ字状に形成されており、Ｕ字の対向する側辺をなす一対の圧着片１２ａと、Ｕ字の底辺をなす基部１２ｂを有している。圧着部１２は、ケーブル導体を嵌め込んだ状態で一対の圧着片１２ａを図示するように加締めることにより、ケーブル導体と接続されるようになっている。
【００１５】
連結部１３は、本体部１１の基部１１ｂの外径よりも細幅でＬ字型に曲げられた帯状片からなり、Ｌ字型の各辺をなす第一辺部１３ａと第二辺部１３ｂを有し、第一辺部１３ａの端部（端面）で本体部１１の基部１１ｂの端部（端面）とつながれ、第二辺部１３ｂの端部（端面）で圧着部１２の基部１２ｂの一端部（一端面）とつながれている。
【００１６】
インピーダンス調整部材２０は、端子本体１０の連結部１３の第一辺部１３ａよりも長く、端子本体１０の本体部１１の基部１１ｂの内径よりも太い丸棒状の金属部材であり、導電性を有している。また、インピーダンス調整部材２０の一端部２０ａには半球状をなす先細りの先端２０ｂが付けてある。
【００１７】
そして、インピーダンス調整部材２０は、先細りの先端２０ｂが付けてある一端部２０ａが、端子本体１０の本体部１１の基部１１ｂの端部開口からその基部１１ｂの内部に挿入された状態で端子本体１０の本体部１１の基部１１ｂに固定され、先細りの先端２０ｂが付けてある一端部２０ａ以外の部分が端子本体１０の連結部１３の第一辺部１３ａに重ね合されている。またこの状態でインピーダンス調整部材２０は端子本体１０と電気的に接続されている。ここで、インピーダンス調整部材２０の先細りの先端２０ｂが付けてある一端部２０ａは、端子本体１０の本体部１１の基部１１ｂの内径よりも太く、端子本体１０の本体部１１の基部１１ｂへの圧入部とされている。
【００１８】
次に、以上のように構成されたコネクタ端子１の作用を説明する。
【００１９】
端子本体１０は、本体部１１の断面外形と圧着部１２の断面外形とが略同じ大きさになるので、本体部１１のインピーダンスと圧着部１２のインピーダンスとは略等しくなるのに対し、連結部１３の断面外形は本体部１１及び圧着部１２のいずれの断面外形よりも小さくなるので、連結部１３のインピーダンスは本体部１１及び圧着部１２のいずれのインピーダンスよりも高くなり、本体部１１と連結部１３の間及び圧着部１２と連結部１３の間で、それぞれ、インピーダンス不整合が生じることになる。
【００２０】
インピーダンス調整部材２０は、その一端部２０ａ以外の部分が端子本体１０の連結部１３の第一辺部１３ａに重ね合わされており、その一端部２０ａ以外の部分で端子本体１０の連結部１３の第一辺部１３ａの断面外形を大きくして端子本体１０の連結部１３のインピーダンスを低下させることができ、端子本体１０の本体部１１と連結部１３の間でのインピーダンス不整合を小さくして、端子本体１０の本体部１１と連結部１３の間でのインピーダンス整合を図ることができる。
【００２１】
この際、インピーダンス調整部材２０は、その一端部２０ａが端子本体１０の本体部１１の基部１１ｂの端部開口からその基部１１ｂの内部に挿入された状態で端子本体１０の本体部１１の基部１１ｂに固定されることによって、その一端部２０ａ以外の部分が端子本体１０の連結部１３の第一辺部１３ａに重ね合わされている。このため、インピーダンス調整部材２０の一端部２０ａを端子本体１０の本体部１１の基部１１ｂの端部開口からその基部１１ｂの内部に挿入するだけで、端子本体１０の本体部１１と連結部１３の間でのインピーダンス整合が可能となり、インピーダンス調整部材２０を端子本体１０の圧着部１２に接合する必要がないので、端子本体１０の本体部１１と連結部１３の間でのインピーダンス整合にかかる手間を削減することができる。
【００２２】
また、端子本体１０の連結部１３はＬ字型に曲げられているので、インピーダンス調整部材２０の一端部２０ａを端子本体１０の本体部１１の基部１１ｂの端部開口からその基部１１ｂの内部に挿入する際に、圧着部１２が邪魔にならず、挿入しやすくなっている。さらに、インピーダンス調整部材２０の一端部２０ａには先細りの先端２０ｂを付けてあるので、インピーダンス調整部材２０の一端部２０ａを端子本体１０の本体部１１の基部１１ｂの端部開口からその基部１１ｂの内部に挿入する際に、挿入しやすくなっている。
【００２３】
また、インピーダンス調整部材２０の一端部２０ａは、端子本体１０の本体部１１の基部１１ｂの内径よりも太く、端子本体１０の本体部１１の基部１１ｂへの圧入部とされているので、端子本体１０の本体部１１の基部１１ｂに圧入固定することができる。
【００２４】
なお、インピーダンス調整部材２０は、端子本体１０の本体部１１と連結部１３の間でのインピーダンス整合と同時に、端子本体１０の圧着部１２と連結部１３の間でのインピーダンス整合を図ることができる。
【実施例２】
【００２５】
図４に示すコネクタ端子３０は、インピーダンス調整部材２０に代えてＬ字型に曲げられたインピーダンス調整部材４０を備えている点でコネクタ端子１と相違するものである。
【００２６】
Ｌ字型に曲げられたインピーダンス調整部材４０は、先細りの先端４０ｂが付けてある一端部４０ａ以外の部分が端子本体１０の連結部１３の第一辺部１３ａと第二辺部１３ｂに重ね合わされる点でインピーダンス調整部材２０と相違するものである。
【００２７】
そして、Ｌ字型に曲げられたインピーダンス調整部材４０は、その一端部４０ａが端子本体１０の本体部１１の基部１１ｂの端部開口からその基部１１ｂの内部に挿入された状態で端子本体１０の本体部１１の基部１１ｂに固定されることによって、その一端部４０ａ以外の部分が端子本体１０の連結部１３の第一辺部１３ａと第二辺部１３ｂに重ね合わされており、その一端部４０ａ以外の部分で端子本体１０の連結部１３の第一辺部１３ａと第二辺部１３ｂの断面外形を大きくして端子本体１０の連結部１３のインピーダンスを低下させることができ、端子本体１０の本体部１１と連結部１３の間でのインピーダンス不整合を略解消して、端子本体１０の本体部１１と連結部１３の間でのインピーダンス整合及び端子本体１０の圧着部１２と連結部１３の間でのインピーダンス整合を図ることができるものである。
【実施例３】
【００２８】
図５（Ａ），図５（Ｂ）に示す楔付きインピーダンス調整部材５０のインピーダンス調整部材２０との相違点は、端子本体１０の本体部１１の基部１１ｂの内径と略同じ太さの丸棒状をなし、先細りの先端５０ｂを付けてある一端部５０ａの外周面に３つの楔部５０ｃが等間隔に設けられ、この楔部５０ｃによって先細りの先端５０ｂを付けてある一端部５０ａの外径が先端５０ｂ側とは反対側に向かって徐々に大径化されている点にある。
【００２９】
そして、楔付きインピーダンス調整部材５０は、先細りの先端５０ｂを付け、かつ、外周面に楔部５０ｃが設けられた一端部５０ａが端子本体１０の本体部１１の基部１１ｂの端部開口からその基部１１ｂの内部に圧入された状態で端子本体１０の本体部１１の基部１１ｂに固定されることによって、その一端部５０ａ以外の部分が端子本体１０の連結部１３の第一辺部１３ａに重ね合わされ、端子本体１０の本体部１１と連結部１３の間でのインピーダンス整合を図ることができるものである。
【００３０】
以上、本発明の実施例をいくつか図面を参照して説明したが、本発明は実施例に限定されるものではなく、本発明の趣旨を逸脱しない範囲において種々の改変が可能である。例えば、インピーダンス調整部材は、断面円形の丸棒状のものを示したが、断面角形の多角形の角棒状のものであってもよい。また、インピーダンス調整部材の一端部を端子本体の本体部の基部に挿入した状態で固定する方法には、圧入を採用したが、その他インピーダンス調整部材（軸）を端子本体の本体部（孔）に挿入したときに互いに係合可能な一対の係合凹部と係合凸部のいずれか一方をインピーダンス調整部材、他方を端子本体の本体部の基部に設けるなどの係合手段を採用してもよい。
【符号の説明】
【００３１】
１  コネクタ端子
１０  端子本体
２０  インピーダンス調整部材
２０ａ  一端部
２０ｂ  先端
１１  本体部（第一接続部）
１２  圧着部（第二接続部）
１３  連結部
１３ａ  第一辺部
１３ｂ  第二辺部
【図１】
2018085305.tif 000003
【図２】
2018085305.tif 000004
【図３】
2018085305.tif 000005
【図４】
2018085305.tif 000006
【図５】
2018085305.tif 000007